(57)【要約】      （修正有）【課題】可視光線を照射した媒体の表面画像と紫外線を照射した媒体の表面画像を、ＵＶインクによる印刷部分を判別しやすい状態で合成する画像処理装置を提供する。【解決手段】制御装置７（画像処理装置）は、イメージセンサー１６を駆動して、可視光の第１読取光が照射された小切手２の表面２ａを読み取った第１表面画像を取得するとともに、紫外線を含む第２読取光が照射された小切手２の表面２ａを読み取った第２表面画像を取得する。第２表面画像の明暗を反転させた反転第２画像を生成して、第１表面画像と反転第２画像とを合成した第２合成画像を生成する。【効果】第２表面画像を反転させた反転第２画像は全体として明るい画像となるので、第２合成画像Ｉ２では輝度の低下およびコントラストの低下を抑制でき、ＵＶインクによる印刷部分を判別しやすい。【選択図】図１
2016092712.tif 000002
【特許請求の範囲】
【請求項１】
イメージセンサーを駆動して、可視光の第１読取光が照射された媒体の表面を読み取っ
た第１画像を取得するとともに、紫外線を含む第２読取光が照射された前記媒体の表面を
読み取った第２画像を取得する画像取得部と、
前記第２画像の明暗を反転させた反転第２画像を生成する反転画像生成部と、
前記第１画像と前記反転第２画像とを合成した合成画像を生成する合成部と、
を有することを特徴とする画像処理装置。
【請求項２】
請求項１において、
前記第２画像はＵＶインクからの蛍光に基づく画像部分を含むことを特徴とする画像処
理装置。
【請求項３】
イメージセンサーによって可視光の第１読取光が照射された媒体の表面を読み取った第
１画像を取得するとともに、紫外線を含む第２読取光が照射された前記媒体の表面を読み
取った第２画像を取得し、
前記第２画像の明暗を反転させた反転第２画像を生成し、
前記第１画像と前記反転第２画像とを合成した合成画像を生成することを特徴とする画
像処理方法。
【請求項４】
請求項３において、
前記第２画像はＵＶインクからの蛍光に基づく画像部分を含むことを特徴とする画像処
理方法。
【請求項５】
イメージセンサーを駆動制御する制御装置で動作するプログラムにおいて、
前記制御装置を、
前記イメージセンサーを駆動して、可視光の第１読取光が照射された媒体の表面を読み
取った第１画像を取得するとともに、紫外線を含む第２読取光が照射された前記媒体の表
面を読み取った第２画像を取得する画像取得部と、
前記第２画像の明暗を反転させた反転第２画像を生成する反転画像生成部と、
前記第１画像と前記反転第２画像とを合成した合成画像を生成する合成部と、
に機能させることを特徴とするプログラム。
【発明の詳細な説明】
【技術分野】
【０００１】
本発明は、イメージセンサーを駆動して媒体の表面に可視光線を照射した画像と紫外線
を照射した画像とを取得する画像処理装置、画像処理方法およびプログラムに関する。
【背景技術】
【０００２】
小切手が持ち込まれた金融機関では、小切手を小切手処理装置に掛け、小切手に印刷さ
れている磁気インク文字を磁気的に読み取り、取得した磁気情報に基づいて決済処理を行
う。また、金融機関では、磁気インク文字の読み取りと並行して、小切手処理装置によっ
て可視光線を照射した小切手の表面を読み取り、取得した表面画像を決済の証拠として保
存する。さらに、金融機関では、小切手として、紫外線の照射に対して蛍光を生じるＵＶ
インクで偽造防止用画像が印刷されたものが用いられる場合には、小切手処理装置によっ
て紫外線を照射した小切手の表面を読み取り、取得した表面画像を小切手の真贋判定のた
めに利用する。また、金融機関では、紫外線を照射した小切手の表面画像を決済の証拠と
して保存する。
【０００３】
このような小切手の決済処理に用いることが可能な小切手処理装置は特許文献１に記載
されている。同文献の小切手処理装置は、磁気インク文字を磁気的に読み取る磁気センサ
ーと、小切手の表面に読取光を照射して表面画像を取得するイメージセンサーを搭載する
。イメージセンサーは、読取光として可視光線と紫外線を射出する。
【先行技術文献】
【特許文献】
【０００４】
【特許文献１】特開２０１３−７０２２５号公報
【発明の概要】
【発明が解決しようとする課題】
【０００５】
小切手による決済の証拠として、可視光線を照射した小切手の表面画像と、紫外線を照
射した小切手の表面画像を保存する場合には、保存する画像のデータ容量が大きくなると
いう問題がある。ここで、決済の証拠として保存する画像のデータ容量を抑制するために
は、可視光線を照射した小切手の表面画像と、紫外線を照射した小切手の表面画像を合成
して１枚の合成画像を保存することが考えられる。
【０００６】
しかし、紫外線を照射した小切手の表面をイメージセンサーで読み取った場合に取得さ
れる表面画像は、小切手の表面で反射された紫外線の反射光を撮像した部分が暗く、ＵＶ
インクによる印刷部分からの蛍光を撮像した部分が明るいグレースケールの画像となる。
また、ＵＶインクによる印刷部分の占有面積は表面全体の面積と比較して僅かなので、表
面画像は全体として暗い画像となる。従って、可視光線を照射した小切手の表面画像と紫
外線を照射した小切手の表面画像を合成した場合には、合成画像においてコントラストが
低下して、偽造防止用画像が認識し難くなるなどの問題が発生する。
【０００７】
本発明の課題は、このような点に鑑みて、可視光線を照射した媒体の表面画像と紫外線
を照射した媒体の表面画像を、ＵＶインクによる印刷部分を判別しやすい状態で合成する
画像処理装置および画像処理方法を提供することにある。また、かかる画像処理装置を駆
動制御する制御装置用のプログラムを提供することにある。
【課題を解決するための手段】
【０００８】
上記の課題を解決するために、本発明の画像処理装置は、イメージセンサーを駆動して
、可視光の第１読取光が照射された媒体の表面を読み取った第１画像を取得するとともに
、紫外線を含む第２読取光が照射された前記媒体の表面を読み取った第２画像を取得する
画像取得部と、前記第２画像の明暗を反転させた反転第２画像を生成する反転画像生成部
と、前記第１画像と前記反転第２画像とを合成した合成画像を生成する合成部と、を有す
ることを特徴とする。
【０００９】
本発明では、可視光の第１読取光が照射された媒体の第１画像と紫外線を含む第２読取
光が照射された媒体の第２画像を合成する際に、第２画像については明暗を反転させた反
転第２画像を生成して、この反転第２画像と第１画像を合成する。ここで、第２読取光が
照射された媒体の表面をイメージセンサーで読み取った場合に取得される第２画像は、Ｕ
Ｖインクによる印刷部分の占有面積が表面全体の面積と比較して僅かである場合に、全体
として暗い画像となる。従って、このような第２画像の明暗を反転させた反転第２画像を
生成すれば、反転第２画像は全体として明るい画像となる。よって、反転第２画像と第１
画像とを合成した合成画像では輝度の低下およびコントラストの低下を抑制できる。また
、第２画像においてＵＶインクによる印刷部分からの蛍光を撮像した画像部分は明るいの
で、反転第２画像ではＵＶインクによる印刷部分は輝度の低い黒色となる。従って、反転
第２画像と第１画像とを合成した合成画像では、ＵＶインクによる印刷部分を判別しやす
い。なお、合成画像ではＵＶインクによる印刷部分は明暗が反転した反転画像となるが、
反転画像であってもＵＶインクによる印刷部分の確認は容易である。
【００１０】
本発明において、前記第２画像はＵＶインクからの蛍光に基づく画像を含むものとする
ことができる。このようにすれば、ＵＶインクにより偽造防止用画像が印刷されている小
切手の表面を読み取って、小切手の表面の画像と偽造防止用画像の反転画像を合成した合
成画像を生成できる。
【００１１】
次に、本発明の画像処理方法は、イメージセンサーによって可視光の第１読取光が照射
された媒体の表面を読み取った第１画像を取得するとともに、紫外線を含む第２読取光が
照射された前記媒体の表面を読み取った第２画像を取得し、前記第２画像の明暗を反転さ
せた反転第２画像を生成し、前記第１画像と反転第２画像とを合成した合成画像を生成す
ることを特徴とする。
【００１２】
本発明では、可視光の第１読取光が照射された媒体の第１画像と紫外線を含む第２読取
光が照射された媒体の第２画像を合成する際に、第２画像については明暗を反転させた反
転第２画像を生成して、これら第１画像および反転第２画像を合成する。ここで、反転第
２画像は、ＵＶインクによる印刷部分が小さい場合に、全体として明るい画像となる。従
って、このような反転第２画像と第１画像とを合成した合成画像では輝度の低下およびコ
ントラストの低下を抑制できる。また、反転第２画像ではＵＶインクによる印刷部分は輝
度の低い黒色となるので、合成画像ではＵＶインクによる印刷部分を判別しやすい。なお
、合成画像ではＵＶインクによる印刷部分は明暗が反転した反転画像となるが、反転画像
であってもＵＶインクによる印刷部分の確認は容易である。
【００１３】
本発明において、前記第２画像はＵＶインクからの蛍光に基づく画像を含むものとする
ことができる。このようにすれば、例えば、ＵＶインクにより偽造防止用画像が印刷され
ている小切手の表面を読み取って、小切手の表面の画像と偽造防止用画像の反転画像を合
成した合成画像を生成することができる。
【００１４】
また、本発明は、イメージセンサーを駆動制御する制御装置で動作するプログラムにお
いて、前記制御装置を、前記イメージセンサーを駆動して、可視光の第１読取光が照射さ
れた媒体の表面を読み取った第１画像を取得するとともに、紫外線を含む第２読取光が照
射された前記媒体の表面を読み取った第２画像を取得する画像取得部と、前記第２画像の
明暗を反転させた反転第２画像を生成する反転画像生成部と、前記第１画像と前記反転画
像とを合成した合成画像を生成する合成画像生成部と、に機能させることを特徴とする。
【００１５】
本発明では、可視光の第１読取光が照射された媒体の第１画像と紫外線を含む第２読取
光が照射された媒体の第２画像を合成する際に、第２画像については明暗を反転させた反
転第２画像を生成して、これら第１画像および反転第２画像を合成する。ここで、反転第
２画像は、ＵＶインクによる印刷部分が小さい場合に、全体として明るい画像となる。従
って、このような反転第２画像と第１画像とを合成した合成画像では輝度の低下およびコ
ントラストの低下を抑制できる。また、反転第２画像ではＵＶインクによる印刷部分は輝
度の低い黒色となるので、合成画像ではＵＶインクによる印刷部分を判別しやすい。なお
、合成画像ではＵＶインクによる印刷部分は明暗が反転した反転画像となるが、反転画像
であってもＵＶインクによる印刷部分の確認は容易である。
【図面の簡単な説明】
【００１６】
【図１】本発明を適用した小切手処理システムの説明図である。
【図２】小切手処理システムの制御系を示すブロック図である。
【図３】制御装置のディスプレイに表示されるダイアログボックスの説明図である。
【図４】小切手から読取った第１表面画像および第２表面画像の説明図である。
【図５】第１補正画像および第２補正画像の説明図である。
【図６】小切手の表面画像の画像部分における輝度値のグラフである。
【図７】エッジ領域における輝度地のヒストグラムおよび補正関数の説明図である。
【図８】第１合成画像の説明図である。
【図９】反転第２画像および第２合成画像の説明図である。
【発明を実施するための形態】
【００１７】
以下に、図面を参照して、本発明を適用した実施の形態である小切手処理システムを説
明する。
【００１８】
（小切手処理システム）
図１（ａ）は小切手処理システムの説明図であり、図１（ｂ）は小切手の説明図である
。小切手処理システム１は、小切手２による決済処理などを行うものである。図１（ａ）
に示すように、小切手処理システム１は、小切手処理装置５と、小切手処理装置５にケー
ブル６等で通信可能に接続された制御装置７を備える。制御装置（画像処理装置）７は装
置本体８と、装置本体８に接続された入力装置９およびディスプレイ１０を備える。装置
本体８はコンピューターである。
【００１９】
金融機関に持ち込まれる小切手２の表面２ａには、図１（ｂ）に示すように、通常のイ
ンクにより罫線や金融機関の名称などが印刷されている。また、小切手２の表面２ａには
、磁気インクにより顧客の口座番号などを表した磁気インク文字１１が印刷されている。
さらに、小切手２の表面２ａには、紫外線を照射したときに蛍光を発光するＵＶインクに
より偽造防止用画像１２が印刷されている。
【００２０】
小切手処理装置５は、図１（ａ）に示すように、磁気センサー１５、イメージセンサー
１６および印刷ヘッド１７を備える。また、小切手処理装置５は、磁気センサー１５によ
る磁気読取位置Ａ、イメージセンサー１６による画像読取位置Ｂ、および、印刷ヘッド１
７による印刷位置Ｃを経由して延びる搬送路１８を備える。さらに、小切手処理装置５は
、搬送路１８に挿入された小切手２を搬送路１８に沿って搬送して磁気読取位置Ａ、画像
読取位置Ｂおよび印刷位置Ｃを通過させる搬送機構１９を備える。搬送機構１９は搬送路
１８に挿入された小切手２を挟持した状態で送り出す搬送ローラー対２０と、搬送ローラ
ー対２０を駆動する搬送モーター２１（図２参照）を備える。
【００２１】
磁気センサー１５は磁気読取面２２を搬送路１８に向けて配置されている。磁気センサ
ー１５は、磁気読取位置Ａを通過する小切手２から磁気インク文字１１を読み取る。
【００２２】
イメージセンサー１６は、ＣＩＳ（Contact Image Sensor）モジュールである。イメー
ジセンサー１６は画像読取位置Ｂを通過する小切手２に光を照射して小切手２からの反射
光または発光を読み取る。イメージセンサー１６は、照射部２５および読取部（撮像素子
）２６を搬送路１８に向けて配置される。
【００２３】
照射部２５は小切手２の搬送方向Ｄと直交する上下方向に線状に設けられている。照射
部２５は、発光素子として、赤色読取光を照射する複数の赤色発光素子２５Ｒ、緑色読取
光を照射する複数の緑色発光素子２５Ｇ、青色読取光を照射する複数の青色発光素子２５
Ｂ、および、紫外線からなる紫外線読取光を照射する複数の紫外線発光素子２５ＵＶを備
える。各読取光を照射する複数の発光素子２５Ｒ、２５Ｇ、２５Ｂ、２５ＵＶは、それぞ
れ上下方向に延びる線状に配列される。
【００２４】
読取部２６は照射部２５に沿って上下方向に線状に設けられている。読取部２６はＣＭ
ＯＳセンサーなどの撮像素子からなる。読取部２６（撮像素子）は、小切手２に各読取光
が照射されたタイミングで、画像読取位置Ｂを通過する小切手２を上下方向に延びる１ラ
イン毎、逐次、に読み取る。
【００２５】
印刷ヘッド１７は、磁気センサー１５およびイメージセンサー１６とは搬送路１８を挟
んだ反対側に配置されている。また、印刷ヘッド１７は、そのヘッド面を搬送路１８に向
けて配置される。印刷ヘッド１７は印刷位置Ｃを通過する小切手２の裏面２ｂに裏書を施
す。
【００２６】
小切手処理装置５は搬送機構１９により小切手２を搬送路１８に沿って搬送する。そし
て、小切手処理装置５は磁気読取位置Ａを通過する小切手２から磁気センサー１５により
磁気インク文字１１を読み取って磁気情報を取得する。また、小切手処理装置５は読み取
った磁気情報を制御装置７に送信する。さらに、小切手処理装置５は画像読取位置Ｂを通
過する小切手２からイメージセンサー１６により小切手２の表面２ａを読み取り、読取情
報を、逐次に、制御装置７に送信する。また、小切手処理装置５は、制御装置７からの印
刷指令に基づいて印刷ヘッド１７を駆動制御して、決済処理が行われた小切手２に裏書を
施す。
【００２７】
制御装置７は、小切手処理装置５が取得した磁気情報を受信し、磁気情報と入力装置９
から入力される入力情報に基づいて決済処理を行う。
【００２８】
また、制御装置７は、小切手処理装置５から逐次に送信されてくる読取情報（イメージ
センサー１６からの出力）に基づいて、第１表面画像Ｇ１（第１画像、図４（ａ）参照）
と第２表面画像Ｇ２（第２画像、図４（ｂ）参照）を取得する。第１表面画像Ｇ１は可視
光線読取光（赤色読取光、青色読取光、緑色読取光）を小切手２に照射した場合のグレー
スケール（コンポジットグレー）の画像であり、第２表面画像Ｇ２は紫外線読取光を小切
手２に照射した場合のグレースケールの画像である。第１表面画像Ｇ１と第２表面画像Ｇ
２は、イメージセンサー１６の解像度に応じた画素により構成される。
【００２９】
さらに、制御装置７は、取得した第１表面画像Ｇ１および第２表面画像Ｇ２の少なくと
も一方に画像処理を施し、しかる後にこれらの画像を合成した合成画像を生成する。また
、制御装置７は、生成した合成画像を決済処理の証拠として記憶保持する。
【００３０】
ここで、制御装置７は、合成画像として、第１合成画像Ｉ１（図８（ａ）参照）と第２
合成画像Ｉ２（図９（ｂ）参照）の２種類の合成画像を生成可能である。第１合成画像Ｉ
１は、第１表面画像Ｇ１の輝度を低下させた第１補正画像を生成するとともに、第２表面
画像Ｇ２のコントラストを増大させた第２補正画像を生成し、第１補正画像と第２補正画
像を合成したものである。第２合成画像Ｉ２は、第２表面画像Ｇ２の明暗を反転させた反
転第２画像を生成し、第１表面画像Ｇ１と反転第２画像とを合成したものである。制御装
置７は、オペレーターによって予め入力された合成画像選択情報に基づいていずれか一方
の合成画像を生成する。
【００３１】
また、制御装置７は、決済処理が終了すると、小切手処理装置５に印刷指令を送信して
小切手処理装置５を駆動して小切手２に裏書を施す。
【００３２】
（小切手処理装置の制御系）
図２は小切手処理システム１の制御系を示す概略ブロック図である。図３は合成画像を
選択するためのダイアログボックスの説明図である。図４は第１表面画像Ｇ１および第２
表面画像Ｇ２の説明図である。図５は第１補正画像および第２補正画像の説明図である。
【００３３】
図２に示すように、小切手処理装置５の制御系は、ＣＰＵなどを搭載する制御部３１を
中心に構成されている。制御部３１には、制御装置７との間で通信を行うための通信イン
ターフェースを備える通信部３２が接続されている。また、制御部３１には、磁気センサ
ー１５、イメージセンサー１６、印刷ヘッド１７および搬送モーター２１が不図示のドラ
イバーを介して接続されている。
【００３４】
制御部３１では制御プログラムが動作している。制御プログラムは、制御部３１を、搬
送制御部３３、磁気情報取得部３４、画像読取部３５および印刷部３６として機能させる
。従って、制御部３１は、搬送制御部３３、磁気情報取得部３４、画像読取部３５および
印刷部３６を有する。
【００３５】
搬送制御部３３は、搬送モーター２１を駆動制御して、小切手２を搬送路１８に沿って
搬送する。
【００３６】
磁気情報取得部３４は、磁気センサー１５を駆動して、磁気読取位置Ａを通過する小切
手２の磁気インク文字１１から磁気読取情報（検出信号）を読み取る。また、磁気情報取
得部３４は、磁気読取情報に基づいて、磁気インク文字１１を認識する。磁気インク文字
１１の認識は、磁気センサー１５から出力される磁気読取情報と、予め記憶保持している
磁気インク文字１１の信号波形パターンとを照合して行われる。磁気情報取得部３４は磁
気インク文字１１の認識結果を磁気情報として取得する。磁気情報が取得されると、磁気
情報取得部３４はこの磁気情報を制御装置７に送信する。
【００３７】
画像読取部３５は、イメージセンサー１６を駆動して、画像読取位置Ｂを通過する小切
手２から小切手２の表面２ａを読み取る。
【００３８】
イメージセンサー１６による小切手２の表面２ａの読み取りに際し、画像読取部３５は
、画像読取位置Ｂで小切手２を読取解像度に対応する１ライン分の搬送量だけ搬送する間
に、照射部２５から小切手２の表面２ａに赤色読取光、緑色読取光、青色読取光、および
紫外線読取光をこの順番で順次に照射する。また、画像読取部３５は、小切手２が１ライ
ン分の搬送量だけ搬送される毎に、読取部２６に、赤色読取光が照射された小切手２の１
ライン分の表面部分、青色読取光が照射された小切手２の１ライン分の表面部分、緑色読
取光が照射された小切手２の１ライン分の表面部分、紫外線読取光が照射された小切手２
の１ライン分の表面部分を逐次に読みとらせる。さらに、画像読取部３５は、赤色読取光
が照射されている間に読取部２６から出力される読取情報、緑色読取光が照射されている
間に読取部２６から出力される読取情報、青色読取光が照射されている間に読取部２６か
ら出力される読取情報、紫外線読取光が照射されている間に読取部２６から出力される読
取情報を、逐次に、制御装置７に送信する。
【００３９】
印刷部３６は、制御装置７からの印刷命令に基づいて印刷ヘッド１７を駆動して印刷位
置Ｃを搬送される小切手２の裏面２ｂに印刷を施す。
【００４０】
（制御装置の制御系）
次に、制御装置７は、図２に示すように、小切手処理装置制御部４０、合成画像選択部
４１、画像処理部４２、および、決済処理部４３を備える。制御装置７は、装置本体８で
プログラムが動作することにより、小切手処理装置制御部４０、合成画像選択部４１、画
像処理部４２、および、決済処理部４３として機能する。
【００４１】
小切手処理装置制御部４０は、小切手処理装置５に小切手読取動作を開始させる処理動
作開始命令を送信する。小切手読取動作とは、小切手２を搬送路１８に沿って搬送して磁
気情報および読取情報を制御装置７に送信させる動作である。
【００４２】
合成画像選択部４１は、ディスプレイ１０にダイアログボックス４４を表示して、合成
画像選択情報の入力を受け付ける。図３は合成画像選択部４１がディスプレイ１０に表示
するダイアログボックス４４の説明図である。合成画像選択情報は、決済処理の証拠とし
て記憶保持する合成画像として第１合成画像Ｉ１と第２合成画像Ｉ２のいずれを用いるか
を指定するものである。ダイアログボックス４４には、第１合成画像Ｉ１または第２合成
画像Ｉ２を選択するためのプルダウンメニュー４４ａが設けられている。本例では、オペ
レーターがプルダウンメニュー４４ａの「Ｍｅｒｇｅ  ｔｙｐｅ  １」を選択すれば、合
成画像として第１合成画像Ｉ１を指定する合成画像選択情報が制御装置７に入力される。
一方、オペレーターがプルダウンメニュー４４ａの「Ｍｅｒｇｅ  ｔｙｐｅ  ２」を選択
すれば、合成画像として第２合成画像Ｉ２を指定する合成画像選択情報が制御装置７に入
力される。
【００４３】
画像処理部４２は、可視光線（赤色読取光・緑色読取光・青色読取光）が照射されてい
る間に読取部２６から出力される読取情報に基づいて第１表面画像Ｇ１を取得するととも
に、紫外線読取光が照射されている間に読取部２６から出力される読取情報に基づいて第
２表面画像Ｇ２を取得する画像取得部４５を備える。また、画像処理部４２は、第１合成
画像Ｉ１を生成する第１合成画像生成部４６と、第２合成画像Ｉ２を生成する第２合成画
像生成部４７を備える。
【００４４】
画像取得部４５は、赤色読取光が照射されている間に読取部２６から出力される読取情
報、緑色読取光が照射されている間に読取部２６から出力される読取情報、青色読取光が
照射されている間に読取部２６から出力される読取情報に基づいて、第１表面画像Ｇ１を
取得する。画像取得部４５により取得される第１表面画像Ｇ１は図４（ａ）の上側の図に
示すものとなる。図４（ａ）の下側の図は、第１表面画像Ｇ１における明るさ（輝度値）
の分布のヒストグラムである。なお、画像は、ディスプレイ１０に表示するので、明るさ
を輝度で表す。ヒストグラムの横軸は輝度値であり、縦軸は度数（画素数）である。前述
のとおり、第１表面画像Ｇ１グレースケールの画像である。輝度を表す輝度値は２５６階
調であり、輝度値０が最も暗く（黒）、輝度値２５５が最も明るい（白）。
【００４５】
また、画像取得部４５は、紫外線読取光が照射されている間に読取部２６から出力され
る読取情報に基づいて、第２表面画像Ｇ２を取得する。画像取得部４５により取得される
第２表面画像Ｇ２は図４（ｂ）の上側に示すものとなる。図４（ｂ）の下側の図は、第２
表面画像Ｇ２における明るさの分布のヒストグラムである。第２表面画像Ｇ２は、小切手
２の表面で反射された読取光の反射光（紫外線）を撮像した部分が暗く（輝度が低く）、
ＵＶインクによる印刷部分により発光した蛍光を撮像した部分が明るい（輝度が高い）。
【００４６】
第１合成画像生成部４６は、合成画像として第１合成画像Ｉ１を指定する合成画像選択
情報が制御装置７に入力されている場合に動作する。第１合成画像生成部４６は、第１表
面画像Ｇ１を補正する第１補正画像生成部５１と、第２表面画像Ｇ２を補正する第２補正
画像生成部５２と、第１表面画像Ｇ１を補正した第１補正画像Ｈ１と第２表面画像Ｇ２を
補正した第２補正画像Ｈ２を合成する第１合成部５３を備える。
【００４７】
第１補正画像生成部５１は、第１表面画像Ｇ１の各画素の輝度値を一定割合で低下させ
て第１補正画像Ｈ１を生成する。本例では、第１表面画像Ｇ１の各画素の輝度値を５割低
下させる。第１補正画像生成部５１により生成される第１補正画像Ｈ１は、図５（ａ）の
上側の図に示すものとなる。図５（ａ）の下側の図は、第１補正画像Ｈ１における明るさ
（輝度値）の分布のヒストグラムである。図４に示すように、第１補正画像Ｈ１は、第１
表面画像Ｇ１と比較して暗い（輝度が低下した）画像である。
【００４８】
第２補正画像生成部５２は、エッジ領域抽出部５４、補正関数生成部５５、輝度値補正
画像生成部５６を備える。
【００４９】
エッジ領域抽出部５４は、第２表面画像Ｇ２が取得されると、第２表面画像Ｇ２の画像
部分をエッジ領域として抽出する。エッジ領域は第２表面画像Ｇ２を構成している各画素
の輝度値を参照して抽出される。エッジ領域は、隣り合う第１画素および第２画素の輝度
値の差が予め設定した輝度差よりも大きい画像部分を含む領域である。また、エッジ領域
は、第１画素および第２画素のうち輝度値の高い第１画素の輝度値が、第２表面画像Ｇ２
の全画素の輝度値の平均Ａｖｅよりも高い画像部分を含む領域である。
【００５０】
図６は、第２表面画像Ｇ２において、偽造防止用画像１２を小切手２の長手方向（搬送
方向Ｄに対応する方向）に通過する画素列の一部分の輝度を示したグラフである。横軸は
画素の位置であり、縦軸はその位置にある画素の輝度値（０〜２５５）を示す。輝度値０
は黒であり、輝度値２５５は白である。図６に示す例では、隣り合う第１画素および第２
画素の輝度値の差が所定の輝度差より大きい画像部分として、Ｐ１、Ｐ２、Ｐ３、Ｐ４の
４つの画像部分がある。Ｐ１、Ｐ２の画像部分は、輝度の高い第１画素の輝度値が画像を
構成する全画素の輝度値の平均Ａｖｅよりも低い。Ｐ３、Ｐ４の画像部分は、輝度の高い
第１画素の輝度値が画像を構成する全画素の輝度値の平均Ａｖｅよりも高い。
【００５１】
ここで、ＵＶインクにより発光した蛍光を撮像した画像部分の輝度値は、ＵＶインクの
濃度が十分なものでない場合でも、画像を構成する全画素の輝度値の平均Ａｖｅよりも高
くなる。従って、輝度値が輝度値の平均Ａｖｅよりも高い画素を含むＰ３、Ｐ４の画像部
分は、ＵＶインクによる印刷部分を撮影した画像部分である。よって、エッジ領域抽出部
５４は、Ｐ３の画像部分またはＰ４の画像部分をエッジ領域として抽出する。抽出される
エッジ領域５７は、例えば、図４（ｂ）に示す領域である。なお、Ｐ１、Ｐ２の画像部分
は、小切手２の表面に模様が施されていたり、通常のインクにより印刷が施されていたり
する部分である。
【００５２】
補正関数生成部５５は、エッジ領域５７に含まれる複数の画素を輝度値に基づいて第１
画素群と第２画素群に振分ける。図７（ａ）はエッジ領域５７に含まれる複数の画素にお
ける明るさ（輝度値）の分布のヒストグラムの例である。図７（ｂ）は補正関数のグラフ
である。
【００５３】
エッジ領域５７に含まれる複数の画素は、図７（ａ）に示すように、明るさ（輝度値）
の分布のヒストグラムが輝度の高い部分と低い部分に２つの山が形成される双峰分布を備
えるものとなる。従って、補正関数生成部５５は、双峰分布している複数の値を２つに分
ける閾値を見つけるアルゴリズムを用いて、これら複数の画素を、第１画素群と、第１画
素群よりも輝度値の低い第２画素群に振分ける。双峰分布している複数の値を２つに分け
る閾値を見つけるアルゴリズムとしては、大津の手法などが知られている。
【００５４】
また、補正関数生成部５５は、第１画素群に含まれる各画素と第２画素群に含まれる各
画素との間でコントラストが増大するように各画素の輝度値を補正する補正関数を生成す
る。補正関数生成部５５は、第１画素群に含まれる各画素の輝度値を平均した第１平均輝
度値Ｌ１と、第２画素群に含まれる各画素の輝度値を平均した第２平均輝度値Ｌ２と、第
１平均輝度値Ｌ１および第２平均輝度値Ｌ２を平均した第３平均輝度値Ｌ３に基づいて、
補正関数を生成する。
【００５５】
ここで、生成される補正関数は、第１平均輝度値Ｌ１の画素の輝度値を第１目標輝度値
Ｔ１に補正し、第２平均輝度値Ｌ２の画素の輝度値を第２目標輝度値Ｔ２に補正し、第３
平均輝度値Ｌ３の画素の輝度値を第３目標輝度値Ｔ３に補正するものである。第１目標輝
度値Ｔ１は、第２目標輝度値Ｔ２および第３目標輝度値Ｔ３よりも高い値であり、輝度値
の最高値（本例では２５５）よりも低い値である。第２目標輝度値Ｔ２は第３目標輝度値
Ｔ３よりも低い値であり、輝度値の最低値（本例では０）よりも低い値である。
【００５６】
また、補正関数は、第１目標輝度値Ｔ１と第１平均輝度値Ｌ１との第１差分が、第２目
標輝度値Ｔ２と第２平均輝度値Ｌ２との第２差分および第３目標輝度値Ｔ３と第３平均輝
度値Ｌ３との第３差分よりも大きくなり、第２差分が第３差分よりも小さくなるように、
各画素の輝度値を補正するものである。本例では、第１平均輝度値Ｌ１が５４．０２であ
り、第１目標輝度値Ｔ１が２００である。第１差分は１４５．９８である。第２平均輝度
値Ｌ２が４１．６４であり、第２目標輝度値Ｔ２が６３である。第２差分は２１．３６で
ある。第３平均輝度値Ｌ３が４７．８３であり、第３目標輝度値Ｔ３が１２７である。第
２差分は９７．１７である。
【００５７】
補正関数生成部５５が生成する補正関数は、例えば、図７（ｂ）に示すものとなる。図
７（ｂ）の横軸は、補正前の画素の輝度値（入力輝度値）であり、縦軸は、補正後の画素
の輝度値（補正輝度値）である。本例では、補正関数は、ペジェ曲線、シグモイド曲線な
どにより表される。
【００５８】
なお、第１目標輝度値Ｔ１を、輝度値の最高値（本例では２５５）よりも低い値とする
のは、第２表面画像Ｇ２を補正関数によって補正した第２補正画像の輝度が、最高値で飽
和することを防止あるいは抑制するためである。ここで、第２目標輝度値Ｔ２を、第２平
均輝度値Ｌ２よりも低い値として、補正関数を生成することもできる。
【００５９】
輝度値補正画像生成部５６は、第２表面画像Ｇ２を構成する全画素について各画素の輝
度値を補正関数で補正した第２補正画像Ｈ２を生成する。第２補正画像Ｈ２は図５（ｂ）
の上側の図に示すものとなる。図５（ｂ）の下側の図は、第２補正画像Ｈ２における明る
さ（輝度値）の分布のヒストグラムである。図５（ｂ）に示す第２補正画像Ｈ２は、図４
（ｂ）に示す第２表面画像Ｇ２と比較して、コントラストが増大した画像となる。
【００６０】
第１合成部５３は、第１補正画像Ｈ１と第２補正画像Ｈ２を合成して第１合成画像Ｉ１
を生成する。図８（ａ）は第１合成部５３により生成された合成画像の説明図であり、図
８（ｂ）は合成画像における明るさ（輝度値）の分布のヒストグラムである。
【００６１】
第１合成部５３は、第１補正画像Ｈ１と第２補正画像Ｈ２で対応する画素同士を合成す
る。第１合成部５３は、第１合成画像Ｉ１において第１補正画像Ｈ１の画素と第２補正画
像Ｈ２の画素を合成した合成画素が、第１補正画像Ｈ１の前記画素の輝度値以上であり、
かつ、第２補正画像Ｈ２の前記画素の輝度値以上となる合成方法で、第１補正画像Ｈ１と
第２補正画像Ｈ２を合成する。
【００６２】
本例では、第１合成部５３は、以下の式（１）に基づいて、第１補正画像Ｈ１の画素と
第２補正画像Ｈ２の画素を合成する。式（１）において、Ｉｍは合成画素の輝度であり、
Ｉ１は第１補正画像Ｈ１の画素の画素であり、Ｉ２は第２補正画像Ｈ２の画素の画素であ
る。
Ｉｍ＝２５５×（１−（１−Ｉ１／２５５）×（１−Ｉ２／２５５））・・・（１）
【００６３】
式（１）に基づく合成方法は、第１補正画像Ｈ１をネガポジ反転させるとともに、第２
補正画像Ｈ２をネガポジ反転させ、反転させた第１補正画像Ｈ１の各画素と反転させた第
２補正画像Ｈ２の各画素を重ね合わせ、重ね合わせた画像を、さらにネガポジ反転するこ
とにより、第１合成画像Ｉ１を生成するものである。
【００６４】
ここで、第１合成部５３により生成された第１合成画像Ｉ１は、図８（ａ）に示すもの
となる。第１合成画像Ｉ１は、第１表面画像Ｇ１について輝度を低下させた第１補正画像
Ｈ１と、第２表面画像Ｇ２についてコントラストを増大させた第２補正画像Ｈ２を合成し
ている。また、第１合成部５３による合成方法では、第１合成画像Ｉ１において第１補正
画像Ｈ１の画素と第２補正画像Ｈ２の画素を合成した合成画素の輝度が低下しない。これ
らの結果、第１合成画像Ｉ１では偽造防止用画像１２に対応する画素の輝度が低下しない
ので、偽造防止用画像１２が判別しやすい。また、小切手２の表面２ａに書かれている表
書きなどを認識しやすい。
【００６５】
なお、第１合成部５３は、以下の式（２）に基づいて、第１補正画像Ｈ１の画素と第２
補正画像Ｈ２の画素を合成してもよい。
Ｉｍ＝ｍａｘ（Ｉ１，Ｉ２）・・・（２）
【００６６】
式（２）に基づく合成方法は、第１補正画像Ｈ１と第２補正画像Ｈ２で対応する画素同
士を合成する際に、２つの画素のうち輝度値の高い画素の輝度値を合成画素の輝度値とし
て第１合成画像Ｉ１を生成するものである。
【００６７】
次に、第２合成画像生成部４７は、合成画像として第２合成画像Ｉ２を指定する合成画
像選択情報が制御装置７に入力されている場合に動作する。図２に示すように、第２合成
画像生成部４７は、反転画像生成部６１と第２合成部６２を備える。図９（ａ）は反転画
像生成部が生成する反転第２画像Ｊ２の説明図であり、図９（ｂ）は第２合成画像Ｉ２の
説明図である。
【００６８】
反転画像生成部６１は、第２表面画像Ｇ２をネガポジ反転（第２表面画像Ｇ２の明暗を
反転）させた反転第２画像Ｊ２を生成する。反転画像生成部６１により生成される反転第
２画像Ｊ２は、図９（ａ）に示すものとなる。ここで、紫外線読取光が照射されている間
にイメージセンサー１６の読取部２６から出力される読取情報に基づいて取得した第２表
面画像Ｇ２は、図４（ｂ）の上側に示すように、小切手２の表面で反射された読取光の反
射光（紫外線）を撮像した部分が暗く（輝度が低く）、ＵＶインクによる印刷部分により
発光した蛍光を撮像した部分が明るい（輝度が高い）。また、ＵＶインクによる印刷部分
の占有面積は小切手２の表面２ａ全体の面積と比較して僅かなので、第２表面画像Ｇ２は
全体として暗い画像となる。従って、第２画像を反転させた反転第２画像Ｊ２は全体とし
て明るい画像となる。また、第２表面画像Ｇ２においてＵＶインクによる印刷部分からの
蛍光を撮像した画像部分は明るいので、反転第２画像Ｊ２では偽造防止用画像１２（ＵＶ
インクによる印刷部分）は輝度の低い黒色となる。
【００６９】
第２合成部６２は、第１表面画像Ｇ１と反転第２画像Ｊ２とで対応する画素同士を合成
する。ここで、第２合成部６２は、補正が施されていない第１表面画像Ｇ１と全体が明る
い反転第２画像Ｊ２を合成する。従って、第２合成画像Ｉ２では輝度の低下およびコント
ラストの低下を抑制できる。また、第２合成画像Ｉ２では、偽造防止用画像１２は輝度の
低い黒色となる。これらの結果、第２合成画像Ｉ２では小切手２の表面２ａに書かれてい
る表書きなどを認識しやすく、かつ、偽造防止用画像１２を判別しやすい。なお、第２合
成画像Ｉ２では偽造防止用画像１２は明暗が反転した暗い反転画像となるが、反転画像で
あっても偽造防止用画像１２の確認は容易である。
【００７０】
ここで、第２合成画像生成部４７が、第２表面画像Ｇ２をネガポジ反転させた反転第２
画像Ｊ２の各画素と第１表面画像Ｇ１の各画素を合成して第２合成画像Ｉ２を生成する画
像処理は以下の式（３）で示される。式（３）において、Ｉｍは合成画素の輝度値であり
、Ｉ１は第１表面画像Ｇ１の画素の輝度値であり、Ｉ２は第２表面画像Ｇ２の画素の輝度
値である。
Ｉｍ＝２５５×（Ｉ１／２５５）×（１−Ｉ２／２５５））・・・（３）
【００７１】
決済処理部４３は、小切手処理装置５から受信した口座番号などの磁気情報、入力装置
９を介して制御装置７への入力される金額などの入力情報に基づいて決済処理を行う。ま
た、決済処理部４３は、画像処理部４２により生成された第１合成画像Ｉ１、または、第
２合成画像Ｉ２をディスプレイ１０に表示する。さらに、決済処理部４３は、第１合成画
像Ｉ１または第２合成画像Ｉ２を、決済の日付、磁気情報および入力情報などを含む決済
情報と関連付けて記憶保持する。また、決済処理部４３は、第１合成画像Ｉ１または第２
合成画像Ｉ２を記憶保持すると、裏書を行わせる印刷命令を小切手処理装置５に送信する
。
【００７２】
（小切手処理動作）
小切手２が持ち込まれた金融機関で決済処理を行う際には、小切手２を小切手処理装置
５の搬送路１８に挿入して、制御装置７から小切手処理装置５に処理動作開始命令を送信
する。
【００７３】
これにより、小切手処理装置５は、小切手２を搬送路１８に沿って搬送して、小切手２
に印刷された磁気インク文字１１を磁気センサー１５で読み取り、磁気情報を取得する。
また、小切手処理装置５は取得した磁気情報を制御装置７に送信する。さらに、小切手処
理装置５は、小切手２の表面２ａをイメージセンサー１６で読み取って、この読取情報を
逐次に制御装置７に送信する。
【００７４】
小切手処理装置５からの読取情報を受信した制御装置７は、第１表面画像Ｇ１（図４（
ａ）参照）および第２表面画像Ｇ２（図４（ｂ）参照）を取得する。
【００７５】
ここで、合成画像として第１合成画像Ｉ１を用いることを指定する合成画像選択情報が
オペレーターによって制御装置７に入力されている場合には、制御装置７は、第１表面画
像Ｇ１の輝度値を補正した第１補正画像Ｈ１を生成する（図５（ａ）参照）。また、制御
装置７は、第２表面画像Ｇ２に基づいて補正関数を生成し、第２表面画像Ｇ２を補正関数
で補正した第２補正画像Ｈ２を生成する（図５（ｂ）参照）。その後、制御装置７は、第
１補正画像Ｈ１と第２補正画像Ｈ２を合成した第１合成画像Ｉ１を生成し（図８（ａ）参
照）、この第１合成画像Ｉ１をディスプレイ１０に表示する。
【００７６】
一方、合成画像として第２合成画像Ｉ２を用いることを指定する合成画像選択情報がオ
ペレーターによって制御装置７に入力されている場合には、制御装置７は、第２表面画像
Ｇ２をネガポジ反転させた反転第２画像Ｊ２を生成する（図９（ａ）参照）。また、制御
装置７は、第１表面画像Ｇ１と反転第２画像Ｊ２を合成した第２合成画像Ｉ２を生成し（
図９（ｂ）参照）、この第２合成画像Ｉ２をディスプレイ１０に表示する。
【００７７】
ここで、オペレーターはディスプレイ１０に表示される合成画像（第１合成画像Ｉ１ま
たは第２合成画像Ｉ２）に基づいて小切手２の真贋を確認する。すなわち、オペレーター
は合成画像（第１合成画像Ｉ１または第２合成画像Ｉ２）に現れている偽造防止用画像１
２をディスプレイ１０上で確認する。また、オペレーターは、合成画像（第１合成画像Ｉ
１または第２合成画像Ｉ２）や小切手２に基づいて表書きなどを確認して、決済に必要な
情報を、入力装置９を介して装置本体８に入力する。
【００７８】
決済に必要な情報が入力されると、この入力情報と磁気情報に基づいて決済処理が行わ
れる。決済が完了すると、制御装置７は、合成画像（第１合成画像Ｉ１または第２合成画
像Ｉ２）を、決済の日付、磁気情報および入力情報などを含む決済情報と関連付けて記憶
保持する。また、制御装置７は印刷命令を小切手処理装置５に送信して、小切手２に裏書
を施す。
【００７９】
本例によれば、小切手２による決済の証拠として、可視光線を照射した小切手２の第１
表面画像Ｇ１と、紫外線を照射した小切手２の第２表面画像Ｇ２を別々に保存するのでは
なく、これらを合成した合成画像（第１合成画像Ｉ１または第２合成画像Ｉ２）を保存す
る。従って、決済の証拠として保存する画像のデータ容量を抑制することができる。
【００８０】
また、本例では、合成画像（第１合成画像Ｉ１または第２合成画像Ｉ２）の輝度の低下
およびコントラストの低下が抑制されている。従って、合成画像（第１合成画像Ｉ１また
は第２合成画像Ｉ２）において偽造防止用画像１２を判別しやすい。さらに、第２合成画
像Ｉ２では、偽造防止用画像１２が輝度の低い黒色で現れているので、偽造防止用画像１
２の判別が容易である。
【００８１】
（その他の実施の形態）
小切手処理システム１では、制御装置７における画像処理部４２を、小切手処理装置５
の側に搭載する構成を採用することもできる。この場合、小切手処理装置５に搭載された
画像処理部４２は、合成画像（第１合成画像Ｉ１または第２合成画像Ｉ２）を制御装置７
に送信する。また、この場合には、小切手処理装置５の制御部３１上で画像処理プログラ
ムを動作させることにより、制御部３１を画像処理部４２として機能させる。
【００８２】
なお、小切手処理装置５としては、画像読取位置Ｂにおいて搬送路１８を挟んで対峙す
る一対のイメージセンサー１６を備え、小切手２の表面画像および裏面画像を取得するも
のとしてもよい。また、第１表面画像Ｇ１に基づいて、小切手２の表面２ａに記載された
文字などを画像認識する画像認識部を搭載するものとすることができる。
【符号の説明】
【００８３】
１・・小切手処理システム、２・・小切手、２ａ・・小切手の表面、２ｂ・・小切手の裏
面、５・・小切手処理装置、６・・ケーブル、７・・制御装置（画像処理装置）、８・・
装置本体、９・・入力装置、１０・・ディスプレイ、１１・・磁気インク文字、１２・・
偽造防止用画像、１５・・磁気センサー、１６・・イメージセンサー、１７・・印刷ヘッ
ド、１８・・搬送路、１９・・搬送機構、２０・・搬送ローラー対、２１・・搬送モータ
ー、２２・・磁気読取面、２５・・照射部、２５ＵＶ・・紫外線発光素子、２５Ｂ・・青
色発光素子、２５Ｒ・・赤色発光素子、２５Ｇ・・緑色発光素子、２６・・読取部、３１
・・制御部、３２・・通信部、３３・・搬送制御部、３４・・磁気情報取得部、３５・・
画像読取部、３６・・印刷部、４０・・小切手処理装置制御部、４１・・合成画像選択部
、４２・・画像処理部、４３・・決済処理部、４４・・ダイアログボックス、４４ａ・・
プルダウンメニュー、４５・・画像取得部、４６・・第１合成画像生成部、４７・・第２
合成画像生成部、５１・・第１補正画像生成部、５２・・第２補正画像生成部、５３・・
第１合成部、５４・・エッジ領域抽出部、５５・・補正関数生成部、５６・・輝度値補正
画像生成部、５７・・エッジ領域、６１・・反転画像生成部、６２・・第２合成部（合成
部）、Ａ・・磁気読取位置、Ｂ・・画像読取位置、Ｃ・・印刷位置、Ｄ・・搬送方向、Ｇ
１・・第１表面画像（第１画像）、Ｇ２・・第２表面画像（第２画像）、Ｈ１・・第１補
正画像、Ｈ２・・第２補正画像、Ｉ１・・第１合成画像、Ｉ２・・第２合成画像（合成画
像）、Ｊ２・・反転第２画像
【図１】
2016092712.tif 000003
【図２】
2016092712.tif 000004
【図６】
2016092712.tif 000005
【図７】
2016092712.tif 000006
【図３】
2016092712.tif 000007
【図４】
2016092712.tif 000008
【図５】
2016092712.tif 000009
【図８】
2016092712.tif 000010
【図９】
2016092712.tif 000011